(57)【要約】【課題】  資料提示装置における撮影手段の撮影アングルを、調整可能、かつ任意な位置に保持可能とする回転支持機構において、その作用を長期にわたって安定して発揮させることができるとともに、回転させるために必要な力を的確かつ容易に調整可能とする。【解決手段】  カメラユニット１０７に、円筒状のクランプ部１０８を取り付ける。資料提示装置の本体１０２に、前後方向に揺動する支持アーム１０５を取り付け、この支持アーム１０５の先端のカメラ支持軸１０６に、フェルト等からなる摩擦部材を挟んでクランプ１０８部を嵌め込み、カメラユニット１０７を回転自在に支持する。クランプ部１０８に形成された相対向するフランジ部に通されたネジを締め付けることにより、クランプ部１０８をカメラ支持軸１０６に巻き締める。カメラ支持軸１０６と摩擦部材との間に生じる摩擦でカメラユニット１０７は回転しないが、手動で回転させることはできる。【選択図】  図１
2006010833.tif 000002
【特許請求の範囲】
【請求項１】
資料提示装置に具備される撮影手段を、回転可能、かつ任意の角度で停止可能に支持する回転支持機構であって、
断面円形の支持軸と、
この支持軸の外周面に回転可能に巻き締められるクランプ部と、
このクランプ部と前記支持軸との間に介在する摩擦部と、
前記クランプ部の巻き締め力を調整する巻き締め力調整手段と
を備えていることを特徴とする資料提示装置における撮影手段の回転支持機構。
【請求項２】
前記摩擦部は、前記支持軸と前記クランプ部の少なくとも一方に形成された摩擦面であることを特徴とする請求項１に記載の資料提示装置における撮影手段の回転支持機構。
【請求項３】
前記摩擦部は、前記支持軸と前記クランプ部との間に挟まされた摩擦部材であることを特徴とする請求項１に記載の資料提示装置における撮影手段の回転支持機構。
【請求項４】
前記摩擦部は、多孔質弾性材料を備えていることを特徴とする請求項１〜３のいずれかに記載の資料提示装置における撮影手段の回転支持機構。
【請求項５】
前記支持軸に対する前記クランプ部の回転角度を固定するクランプ部固定手段を備えることを特徴とする請求項１〜４のいずれかに記載の資料提示装置における撮影手段の回転支持機構。
【発明の詳細な説明】
【技術分野】
【０００１】
本発明は、資料を撮影し、その画像をスクリーン等に表示する機能を有する資料提示装置における撮影手段を支持する機構に係り、特に撮影手段の撮影方向を調整するために必要な撮影手段の回転支持機構に関する。
【背景技術】
【０００２】
スクリーン等に投影表示した資料の画像を指し示しながらプレゼンテーションを行う手法が知られている。この手法においては、資料提示装置が利用される。資料提示装置は、
資料を置く資料載置台、この資料載置台上に置かれた資料を撮影するカメラを備え、さらにこのカメラが撮影した画像の画像処理、記憶、投影装置への出力、その他パーソナル・コンピュータへの出力等を行う機能を有している。資料提示装置については、例えば特許文献１に記載されている。
【０００３】
この資料提示装置において、カメラは、アーム等の先端に回転可能な状態で取り付けられ、カメラを回転させ、光軸の調整が行えるようになっている。この機構においては、ウェーブ・ワッシャを介してカメラを軸止めし、その軸を中心してカメラを手動で回転可能とし、さらに手を離した際には、ウェーブ・ワッシャの摩擦力により自由位置でカメラが固定されるように工夫されている。
【０００４】
図９に、この回転支持機構の一例を示す。図９に示す構成においては、カメラの支持アーム先端部の支持軸５０１にカメラユニット５０２がナット５０４によって取り付けられている。すなわち、支持軸５０１の先端にはネジ山５０３が固定されており、このネジ山５０３に平ワッシャ５０５、ウェーブ・ワッシャ（波形ワッシャ）５０７および平ワッシャ５０６を順に重ねて嵌め込み、さらにナット５０４をネジ山５０３に螺合させることで、支持軸５０１にカメラユニット５０２が取り付けられる。
【０００５】
この構造では、ウェーブ・ワッシャ５０７の部分において発生する摩擦力によって、手を離してもカメラユニット５０２が支持軸５０１に対して相対的に回転しないようにしている。それと同時に、ナット５０４の締め付け力を適当に調整することで、カメラユニット５０２を手動で回転させることができる程度の摩擦力になるようにしている。
【特許文献１】特開２００４−８０１７８号公報
【発明の開示】
【発明が解決しようとする課題】
【０００６】
しかしながら、上述したウェーブ・ワッシャを用いた機構においては、カメラユニット５０２を回転させると、ナット５０４が共に回転し易く、その締め付け状態が変化してしまう不都合が発生しやすかった。そのため、ナット５０４の締め付け状態の設定状態を維持することが困難であり、カメラの回転の行い易さと、しっかりとした固定力の発揮とを両立させることが困難であった。
【０００７】
また、意図した回転を行わせ易い良好な操作性を得るための設定条件が微妙であり、さらにその設定状態が上述したように変動し易いので、カメラの光軸設定が行いにくいという問題があった。
【０００８】
カメラの光軸調整は重要であり、光軸の設定後に、カメラユニット５０２が支持軸５０１に対して僅かでも意図しない回転をすることは好ましくない。他方で、カメラユニット５０２を手動で簡単に回転させ、微妙な光軸調整を容易に行えるようにすることは使い勝手を良くする上で重要である。
【０００９】
上述した従来技術における不都合は、ナット５０４の回転軸とカメラユニット５０２の回転軸とが同一である点に原因の一つがある。すなわち、図９に示される構造においては、カメラユニット５０２を支持軸５０１に対して回転させると、ナット５０４を回転させようとする力が必然的に働いてしまい、ナット５０４の締結状態が変化し易い。この現象は、ナット５０４のネジ山５０３への螺合によってウェーブ・ワッシャ５０７を支持軸５０１の方向に押さえつける構造を採用する限り避けることができない。
【００１０】
特にナット５０４の締め付け具合は微妙であり、また緩みやすい状態にあるので、上記のカメラユニット５０４の回転に従うナット５０４の緩みを避けることは困難となる。
【００１１】
この問題に対応する方法として、仮固定用の機構を採用する方法があるが、操作が煩雑になる欠点、さらに構造が複雑になる欠点がある。
【００１２】
本発明は、手動によるカメラの回転を容易に行うことができ、同時に手を離した際には、カメラが回転させた位置から回転し難い技術を提供することを目的とする。
【課題を解決するための手段】
【００１３】
本発明の資料提示装置における撮影手段の回転支持機構は、資料提示装置に具備される撮影手段を、回転可能、かつ任意の角度で停止可能に支持する回転支持機構であって、断面円形の支持軸と、この支持軸の外周面に回転可能に巻き締められるクランプ部と、このクランプ部と前記支持軸との間に介在する摩擦部と、前記クランプ部の巻き締め力を調整する巻き締め力調整手段とを備えていることを特徴とする。
【００１４】
本発明によれば、クランプ部による締め付けによって、摩擦部が支持軸の外周面に押しつけられ、それによりクランプ部と支持軸との間に摩擦力が生じ、撮影手段が支持軸に固定される。この構造においては、支持軸に対してクランプを相対的に回転させても、クランプの締め付け力に影響が出ない構造とすることができるので、巻き締め力調整手段の設定が撮影手段の回転によって変化してしまう不都合が回避される。
【００１５】
すなわち、撮影手段を手で回して回転させることができるのと同時に、手を離せば設定した回転位置で停止し、その状態を維持する機能に優れた回転支持機構を得ることができる。
【００１６】
本発明の撮影手段の回転支持機構において、摩擦部は、前記支持軸と前記クランプ部の少なくとも一方に形成された摩擦面であることは好ましい。この態様によれば、摩擦力を効果的に発揮させることができ、回転支持機構における高い保持能力を得ることができる。
【００１７】
本発明において、摩擦部は、支持軸とクランプ部との間に挟まされた摩擦部材である構成とすることは好ましい。この態様によれば、クランプ部から支持軸に対して締め付け力を加えることで、摩擦部材に圧力が加わり、摩擦力が発生する。この態様においては、簡単な構造でありながら、効果的に摩擦力を発生させることができ、また発生する摩擦力の強さを容易に調整あるいは設定することができる。
【００１８】
本発明において、摩擦部は、多孔質弾性材料を備えている態様とすることは好ましい。この態様によれば、撮影手段に対する手動による回転の容易性と回転後にその回転位置を維持する機能とを両立することができる。
【００１９】
本発明における摩擦部に求められる性質は、撮影手段を容易に回転させることができ、同時に回転してほしくない場合には、回転せず固定された状態を維持する性質である。摩擦部材として、多孔質弾性材料を用いた場合、それ自身の弾性反発力と表面の微細な非平滑性の相互作用により、大きな静止摩擦係数を得ることができる。他方で、多孔質体であるので、ミクロには接触が部分的であり、そのため動摩擦係数は小さい。このように動摩擦係数が小さいので、撮影手段を手で掴み、少し力を入れれば容易に回転させることができる。一方で、大きな静止摩擦係数を示すので、手を離した状態では、支持軸とクランプ部との間に確実な摩擦力が作用し、所定の回転位置を維持する能力に優れたものとなる。
【００２０】
多孔質弾性材料としては、織布やフェルトのような繊維質の多孔質材料を挙げることができる。繊維質の多孔質材料は、上述した動摩擦係数と静止摩擦係数との差を大きくとれるので、回転自在な機能と、手を離せば回転せずに固定される機能とを両立させる点で優位性がある。
【００２１】
本発明において、支持軸に対するクランプ部の回転角度を固定するクランプ部固定手段を備えることは好ましい。この態様によれば、クランプ部が支持軸に対して固定され、撮影手段が支持軸に対して回転してしまう不都合を防止することができる。
【００２２】
このクランプ部固定手段として、クランプの内径を所定の値以下に規制する手段を採用することは好ましい。この態様によれば、クランプによる締め付け力が一定の値以上に保持され、撮影手段が支持軸に対して回転しないように固定することができる。
【発明の効果】
【００２３】
本発明によれば、断面円形の支持軸の外周面に対して、摩擦部を介してクランプ部により締め付け、さらにこの締め付け力を巻き締め調整手段により調整する構造とすることで、資料提示装置に具備される撮影手段を、回転可能、かつ任意の角度で停止可能に支持する回転支持機構が提供される。
【００２４】
すなわち、本発明は、手動によるカメラの回転を容易に行うことができ、同時に手を離した際には、カメラが回転させた位置から回転し難い構造を得ることができる。つまり、撮影手段を備えた資料提示装置において、手動により容易に撮影手段の光軸設定を行うことができ、さらに手を離した状態においてこの設定した光軸がずれてしまう不都合が発生し難い構造を得ることができる。
【発明を実施するための最良の形態】
【００２５】
１．実施形態の構成
図１は、本発明を利用した資料提示装置の概要を示す斜視図である。図１に示す資料提示装置１０１は、本体１０２、資料載置台１０３、ディスプレイ１０４、支持アーム１０５、カメラ支持軸１０６、カメラユニット１０７、クランプ部１０８、巻き締め力調整手段１０９を備えている。
【００２６】
この構成において、カメラユニット１０７には、弾性によって径が拡縮する円筒状のクランプ部１０８が取り付けられている。そして資料提示装置の本体１０２に、前後方向に揺動する支持アーム１０５が取り付けられ、この支持アーム１０５の先端のカメラ支持軸１０６に、フェルト等からなる摩擦部材を挟んでクランプ１０８部を嵌め込み、カメラユニット１０７が回転自在に支持されている。クランプ部１０８に形成された相対向するフランジ部に通されたネジを締め付けることにより、クランプ部１０８はカメラ支持軸１０６を巻き締めることができる。そして、カメラ支持軸１０６と摩擦部材との間に生じる摩擦でカメラユニット１０７は回転しないが、手動で回転させることはできる。
【００２７】
この構成によれば、資料提示装置における撮影手段の撮影アングルを、調整可能、かつ任意な位置に保持可能とする回転支持機構において、その作用を長期にわたって安定して発揮させることができるとともに、回転させるために必要な力を的確かつ容易に調整可能とすることができる。
【００２８】
図１に示す構成において、本体１０２には、図示しない投影装置に撮像した画像の画像信号を送るための装置、またその画像をディスプレイ１０４に表示するための装置、画像信号を記憶する装置、パーソナル・コンピュータとの間でデータのやり取りを行うインターフェース装置、さらには電源装置を備えている。
【００２９】
支持アーム１０５は、多関節構造を有し、カメラユニット１０７に収められたＣＣＤカメラの光軸を任意の方向に向けることができる構造となっている。なお、ここで光軸とは、撮影対象と対物レンズの撮影視野の中心に位置する撮影対象とを結ぶ光学的な線のことをいう。
【００３０】
カメラ支持軸１０６とカメラユニット１０７との結合構造は、後述するように、カメラユニット１０７を手で回すと、カメラ支持軸１０６に対してカメラユニット１０７を回転させることが可能で、それと同時に、カメラユニット１０７から手を離すと、カメラ支持軸１０６に対してカメラユニット１０７が回転しない半固定機能を有している。
【００３１】
以下、カメラ支持軸１０６とカメラユニット１０７との結合構造について詳細に説明する。図２には、カメラ支持軸１０６とカメラユニット１０７との結合部分を拡大した状態が示されている。図２（ａ）には、クランプ部１０８の巻き締め力を調整する巻き締め力調整手段１０９をカメラ支持軸１０６の軸方向から見た様子が示されている。図２（ｂ）は、カメラ支持軸１０６の軸方向に対して垂直な方向から見た様子であり、巻き締め力調整手段１０９を側面から見た様子が示されている。なお、図２（ｂ）は、図２（ａ）を右方向から見た様子を示すものでもある。
【００３２】
クランプ部１０８は、ある程度のバネ性のある金属板やプラスチック材料で構成され、その形状は、カメラ支持軸１０６の軸方向から見て断面が略Ｃ型を有し、このＣ型断面構造の開放部分に平板形状に延長した一対のフランジ部２２１を備えている。図３は、クランプ部１０８の構造の概略を示す斜視図である。図２および図３に示すように、クランプ部１０８は、下側半分の端面２３２（斜線部）の部分において、カメラユニット１０７へ固定されている。
【００３３】
そして、段差面２３１より上側の部分の端面２３３は、カメラユニット１０７に固定されておらず、カメラユニット１０７との間にスリット２２４が設けられた構造となっている。また、一対のフランジ部２２１の間には、隙間２３４が設けられており、クランプ部１０８による締め付けに余裕が持たされている。
【００３４】
そして、一対のフランジ部２２１には、それぞれ位置合わせされた状態のネジ孔２３５が形成され、そこにネジ２２２を挿入し、ナット２２３をこのネジ２２２の先端に螺合することで、一対のフランジ部２２１を締め付けることができる構造となっている。
【００３５】
クランプ部１０８と一体化した一対のフランジ部２２１と、この一対のフランジを締め付けるネジ２２２およびナット２２３とにより、クランプ部１０８のカメラ支持軸１０６に対する巻き締め力を調整する機能を有する巻き締め力調整手段１０９が構成される。
【００３６】
すなわち、ネジ２２２をフランジ部２２１に貫通させ、ナット２２３をこの貫通したボルトに螺合させ、ナット２２３をボルト２２１に対して締め付けると、クランプ部１０８のカメラユニット１０７に固定されていない上側半分が撓み、内部に位置するカメラ支持軸１０６の外周に対する締め付けが行われる。この際、ナット２２３の締め付け具合を調整することで、カメラ支持軸１０６に対する締め付け力を調整することができる。
【００３７】
図２に示す構造においては、カメラユニット１０７の回転軸と、ネジ２２２の回転軸とが直交している。したがって、カメラユニット１０７をカメラ支持軸１０６に対して回転させても、その動きは、ネジ２２２とボルト２２３との螺合状態を緩める動きとはならない。これにより、カメラユニット１０７の回転操作によって、クランプ１０８による巻き締め状態が緩んでしまう事態を抑制することができる。
【００３８】
また、カメラ支持軸１０６の外周には、摩擦部材として繊維多孔質構造を有する弾性部材であるフェルト２２０が接着されている。すなわち、クランプ部１０８は、フェルト２２０を介してカメラ支持軸１０６を締め付ける構造となっている。繊維多孔質構造を有する弾性部材としては、フェルト以外に例えば（株）クラレ社製のクラリーノ（登録商標）を挙げることができる。
【００３９】
この構造においては、ネジ２２２とナット２２３とを相対的に順方向（ナット２２３が螺合してゆく方向）に回転させてゆくと、一対のフランジ２２１の間隔が狭まり、クランプ部１０８の内側の面からフェルト２２０を介して、カメラ支持軸１０６をその径方向に対して締め付ける力が発生する。この際、フェルト２２０がその厚み方向に圧縮され、フランジ２２１の内側の面とフェルト２２０との接触面との間に摩擦力が発生する。
【００４０】
フェルト２２０は、カメラ支持軸１０６の外周面に接着され固定されているので、クランプ部１０８の内側の面とフェルト２２０との接触面との間に摩擦力が発生することで、カメラ支持軸１０６とクランプ部１０８との間において摩擦力が発生する。
【００４１】
この構造において、カメラユニット１０７を回転させない場合には、クランプ部１０８の内側の面とフェルト２２０との間に働く摩擦力が維持され、自然には回転し難い状態を得ることができる。
【００４２】
他方において、クランプ部１０８に捻りの力を加え、クランプ部１０７をカメラ支持軸１０６に対して回転させようとすると、まずフェルトが微妙に変形し、クランプ部１０８の内側の面とフェルト２２０との間の接触状態が変化し、それにより両者の間における相対的な滑りが発生し易い状態が得られる。しかもフェルト２２０は繊維質であるので、摩擦に引っかかりや急激な滑り状態への移行といったイレギュラー状態が発生し難く、加える力加減の滑りの状態への影響が少ない。
【００４３】
そのため、静止状態から回転状態へ移行するのに必要なカメラユニット１０７に加える回転トルクの閾値が明確であり、それ故に手動による回転状態への移行を安定して得ることができる。さらにフェルトの弾力性と多孔質性により、静止摩擦係数と動摩擦係数との差をある程度確保でき、一旦滑りが始まると、スムーズな回転を行わせることができる。
【００４４】
このような理由により、カメラユニット１０７をカメラ支持軸１０６に対して回転させた場合に、回転に引っかかりを感じたり、ゆっくりと慎重に力を加えたつもりであっても急激に大きく回転してしまったり、といった不都合が発生し難い。
【００４５】
したがって、手を触れない場合は、カメラユニット１０７がカメラ支持軸１０６に対して回転し難く、他方においてカメラユニット１０７に少しの捻り力を加えることで、カメラユニット１０７をカメラ支持軸１０６に対して容易に回転させることができる機構が提供される。つまりカメラユニット１０７を捻り、収容されたカメラの光軸を手動により容易に調整することができ、同時に手を触れなければカメラの光軸にブレが発生し難い優位性が得られる。
【００４６】
また、カメラユニット１０７のカメラ支持軸１０６に対する回転がスムーズであり、加える力を解除すれば、所定の回転位置で停止する機能に優れているので、手動による回転位置の設定を極めて容易に行うことができる。
【００４７】
さらに上述した優位性が得るための巻き締め力調整手段１０９による巻き締め力の設定は、それ程微妙なものではなく、適当な設定具合にある程度の幅がある。これは、フェルト２２０が柔軟性を有しているので、クランプ部１０８による締め付け状態が多少変化しても、その変化はフェルトの変形により吸収され、クランプ部１０８の内側表面とフェルト２２０との間における摩擦状態への影響が鋭敏に現れないためである。
【００４８】
このため、ネジ２２２とナット２２３との締結状態が微妙なものにならず、機能を安定して得ることができ、使い易さの点において好ましい。
【００４９】
２．実施形態の動作
以下、図１に示す資料提示装置の動作について、具体的な操作の一例を挙げて説明する。例えば、図示しない投影装置（例えば液晶プロジェクター）を用いて、図示しない表示用スクリーンに画像を投影し、プレゼンテーションを行う場合を例に挙げる。
【００５０】
この場合、資料載置台１０３上に投影する資料を置き、それをカメラユニット１０７に収めたカメラで撮影し、その撮影した画像の画像データを図示しない投影装置に送信し、投影装置から図示しないスクリーンにその画像が投影表示される。プレゼンターは、必要な資料を適宜資料載置台１０３上に置き、カメラでそれを撮影し、投影されたその画像の投影画像を利用しながらプレゼンテーションを行う。
【００５１】
この際、資料の大きさの違いへの対応等において、カメラユニット１０７に収められたカメラの光軸を調整する操作必要とされる場合がある。そのような場合、カメラユニット１０７に手で触れ、カメラ支持軸１０７を軸としてカメラユニット１０７を回転させる。この際、上述したような理由により、手動による光軸の調整を容易に行うことができる。また、手を離せば、光軸の変化が生じにくい保持性能を得ることができる。
【００５２】
３．他の実施形態（その１）
一旦カメラの光軸を調整した後、光軸が動かないように固定可能な機能が便利な場合がある。このような場合に適した構造について説明する。ここでは、パチン錠と称される片開き式の掛け金構造の留め具を採用し、カメラの回転位置を固定する機構の例を説明する。
【００５３】
図４には、フェルト２２０を介してカメラ支持軸１０６を巻き締めするクランプ部１０８を巻き締めした状態で固定するクランプ部固定手段の一例が示されている。この構造では、開閉部材４０３および４０４を蝶番４０５によって片開き構造とした留め具４００によって、クランプ部１０８の巻き締め状態がより強く設定され、回転しないように固定が行われる。なお、図示しないが、クランプ部１０８における巻き締め力調整手段は、図１〜図３に示すものと同じである。
【００５４】
図４には、留め具４００による束縛が解除された状態が示されている。開閉部材４０４の一端は、軸支部分４０６によってクランプ部１０８の外周に軸支され、開閉部材４０３は、クランプ部１０８の外周に固定された引っかかり部４０８に引っかかった状態で係合した係合部材４０７にその開閉動作を妨げない状態で係合されている。
【００５５】
図４の状態から、開閉部材４０３と４０４とを閉じると、係合部材４０７が引っ張られ、クランプ部１０８の内径が狭められるような束縛力が留め具４００によって加えられる。こうして、クランプ部１０８によりカメラ支持軸１０６が強く締め付けられ、回転が行えない状態、つまり回転位置が固定された状態を得ることができる。
【００５６】
この構造は、簡単な構造でありながら、所定の巻き締め力を高い信頼性で維持でき、ロックおよび解除が非常に簡単に行える点で優位性がある。
【００５７】
４．他の実施形態（その２）
クランプ部固定手段の他の一例を説明する。図５は、クランプ部固定手段の他の一例を示す側面図である。図５に示す構造においては、図２に示す構造に加えて、楔部材６０１を用いて、一方のフランジ部２２１とネジ２２２の頭部２２４との間を押し広げた状態を維持する構造としている。
【００５８】
楔部材６０１の一端には凸部６０２が形成され、この凸部によってワッシャ６０３を介してネジ２２２の頭部２２４に圧力が加えられる。また、楔部材６０１の他端は、カメラユニット１０７に固定されている。
【００５９】
図６は、楔部材６０１を固定するために、カメラユニット１０７に形成された開口構造を示す正面図である。図６は、図５に示す状態において、カメラユニット１０７に形成された開口６０４を右側の方向から見た状態が示されている。開口６０４は、略Ｌ字型を有し、そこから楔部材６０１がカメラユニット１０７の外に突き出た状態となる。
【００６０】
楔部材６０１は多少撓めることができる程度の柔軟性を有する材料（例えば弾性を有する金属や弾性を有するプラスチック材料）によって構成されており、凸部６０２付近に力を加えることで、開口６０４内の一部６０５と他部６０６のいずれかに移動させることができる。
【００６１】
図７は、楔部材６０１の概略の構造を示す側面図である。楔部材６０１は、ｔＬ＝ｔＦ＋Δｔの寸法関係を満足する構造とし、Δｔの寸法によって束縛状態を維持するように設定される。例えばカメラ支持軸１０６の径が１０ｍｍ程度の場合、Δｔ＝０．２ｍｍ程度とすることで、良好な束縛状態を確保することができる。
【００６２】
楔部材６０１によるカメラユニット１０７の回転位置の固定は、開口６０４の一部６０５から他部６０６に楔部材６０１を移動させることで行う。
【００６３】
すなわち、開口６０４の一部６０５に楔部材６０１がある場合は、楔の効果が発揮されず、この状態においては、巻き締め力調整手段１０９の機能により、カメラユニット１０７の回転を行うことができ、同時に手を離せばその回転位置が維持される機能を得ることができる。
【００６４】
そして、開口６０４の一部６０５に位置していた楔部材６０１を他部６０４の部分に移動させ、一方のフランジ部２２１とワッシャ６０３との間に楔部材６０１の先端を割り込ませることで、一対のフランジ２２１の間隔が狭まり、カメラユニット１０７のカメラ支持軸６０１に対する回転が行えない状態を得ることができる。つまりクランプ部１０８の固定を行うことができる。
【００６５】
クランプ部の固定を解除する場合には、楔部材６０１の先端を押し下げスライドさせ、開口６０４の一部（Ｌ字形状の軸部分）６０５に楔部材６０１を移動させる。この場合、凸部６０２がワッシャ６０３に接触した状態から外れ、クランプ１０８の強い束縛状態が解除される。そして、カメラユニット１０７の手動による回転が行えるようになる。
【００６６】
５．他の実施形態（その３）
ここでは、クランプ部の固定を行う構造の他の例を説明する。図８は、クランプ部固定手段の一例を示す断面図および側面図である。図８（ａ）には、カメラ支持軸１０６の軸方向から見た断面構造が示されている。図８（ｂ）には、図８（ａ）を右方向から見た様子が示されている。
【００６７】
この構造においては、ハウジング７０１が一方のフランジ部２２１（下側のフランジ部）に固定され、このハウジング７０１にレバー７０２の一端が軸７０４によって軸支されている。レバー７０２のハウジング７０１に軸支される回転部７０３は、略４半円形（円形を四等分した形状、あるいは半円を二等分した形状）を有し、Δｔをコンマ数ｍｍ（例えば０．２ｍｍ程度）として、ｔＬ＝ｔＦ＋Δｔの寸法関係を満足する寸法に設定されている。
【００６８】
図８（ｂ）には、クランプ部１０８の固定状態にロックされた状態が示されている。この状態では、クランプ１０８はカメラ支持軸１０６に対して固定され、手動による回転は行えない。
【００６９】
図８に示す状態において、レバー７０２を上方に引き上げると、回転部７０３が回転し、Δｔの寸法分だけ上側のフランジ部２２１を押し付ける力が減少し、クランプ部１０８によるカメラ支持軸１０６に対する巻き締め力が弱くなる。こうして、クランプ部１０８の固定状態が解除される。
【００７０】
この構造においては、レバー７０２を矢印７０５によって示される方向に動かすことで、クランプ部の固定と解除を切り替えることができる。
【００７１】
以上の例示においては、支持アーム１０５の先端部分における回転支持機構に本発明を適用する場合を説明した。しかしながら、支持アーム１０５の任意の間接部分に本発明の回転支持機構を適用することができる。
【産業上の利用可能性】
【００７２】
本発明は、資料提示装置に備えた撮影手段の支持機構に適用することができる。
【図面の簡単な説明】
【００７３】
【図１】発明を適用した資料提示装置の概要を示す斜視図である。
【図２】巻き締め力調整手段を支持軸の断面方向から見た図とその側面図である。
【図３】クランプ部の概要を示す斜視図である。
【図４】クランプ部固定手段の一例を支持軸の断面方向から見た図である。
【図５】クランプ部固定手段の他の一例を示す側面図である。
【図６】カメラユニットに形成され、楔部材が貫通する開口の形状を示す正面図である。
【図７】楔部材の概要を示す側面図である。
【図８】クランプ部固定手段の一例を支持軸の断面方向から見た図およびその側面図である。
【図９】従来技術におけるカメラユニットの支持構造の側面図である。
【符号の説明】
【００７４】
１０１…資料提示装置、１０２…本体、１０３…資料載置台、１０４…ディスプレイ、１０５…支持アーム、１０６…カメラ支持軸、１０７…カメラユニット、１０８…クランプ部、１０９…巻き締め力調整手段、２２０…フェルト（摩擦部材）、２２１…フランジ部、２２２…ビス、２２３…ナット、２２４…スリット、２３１…段差面、２３２…クランプ部の下側半分の端面、２３３…クランプ部の上側半分の端面、２３４…隙間、２３５…ネジ孔、４００…片開き構造の留め具、４０３…開閉部材、４０４…開閉部材、４０５…蝶番、４０６…軸支部分、４０７…係合部材、４０８…引っかかり部、５０１…支持軸、５０２…カメラユニット、５０３…ネジ山、５０４…ナット、５０５…平ワッシャ、５０６…平ワッシャ、５０７…ウェーブ・ワッシャ、６０１…楔部材、６０２…凸部、６０３…ワッシャ、６０４…開口、６０５…開口の一部、６０６…開口の他部。
【図１】
2006010833.tif 000003
【図２】
2006010833.tif 000004
【図３】
2006010833.tif 000005
【図４】
2006010833.tif 000006
【図５】
2006010833.tif 000007
【図６】
2006010833.tif 000008
【図７】
2006010833.tif 000009
【図８】
2006010833.tif 000010
【図９】
2006010833.tif 000011